(57)【要約】【課題】樹木への施肥には、色々な方法があるが、匂いも無く、手を汚さず施肥できる方法は、窒素、リン酸、カリを植物毎に配合された固形肥料を使用するのが便利である。この固形肥料の使用方法は、説明書によると、鉢のサイズに合った量を鉢の土の表面に蒔くことが推奨されている。しかし、ベランダで鉢が倒れたり、室内で何かの拍子に倒れる事があると、固形肥料が床面に飛び散り、掃除をするのが大変である。また再度施肥しなくてはならない。また肥料を固形化するための樹脂分が施肥後も、鉢の表面に形骸のまま残るので、見た目が悪いし、除去するのも大変であった。【解決手段】そこで本発明は、樹木に肥料を充填した肥料容器を巻き付け、水遣りする時にパイプの開口部から水が内部に入り肥料を溶かし、樹木に均一に施肥する事が出来る肥料容器に関する。仮に植木鉢が転倒しても肥料容器は、木に巻かれているので肥料が飛散することもない。【選択図】図１
2020010675.tif 000002
【特許請求の範囲】
【請求項１】
断面が各種形状を持ち内部に連続した空間を有するパイプであって、該パイプに多数の開口部を設け、内部に肥料を入れ、樹木に緩く巻き付けて、接続、取り外し出来る両端部を接続して樹木の根元に設置することを特徴とする肥料収納容器。
【請求項２】
請求項１の肥料収納容器の両端部の一方の端部に肥料投入口を有する構造体を接続し、更にもう一方の端部を自在に接続、取り外し出来る固定端子を構造体に設け、円形状にする事を特徴とする肥料収納容器。
【請求項３】
請求項１、２に於いて、パイプに設ける開口部が円形状の肥料収納容器の内側から外側に向けて大きくなっている事を特徴とする肥料収納容器。
【請求項４】
請求項３に於いて、長方形のプラスチックシートの中央部に同一間隔でパイプ強度に影響を与えない程度に、大きな切削した切り込みを入れ、長手方向に丸めてパイプを成形し、パイプを円形状に成形した時にパイプの外側に開口部が設けられ、パイプの長手方向が接続されていない事を特徴とする肥料収納容器。
【請求項５】
請求項３に於いて、連続した一体パイプの側面を一定間隔で強度に影響を与えない程度に大きく切削加工し、パイプを円形状に曲げた時に開口部が外側に設けられる事を特徴とする肥料収納容器。
【請求項６】
請求１、２、３に於いて、肥料収納容器のパイプが、金属あるいは樹脂製の線を一定の間隔で螺旋状に巻きパイプ形状を作成し、円形状に成形したことを特徴とする肥料収納容器。
【請求項７】
請求項１、２、３、４、５、６に於いて、上記パイプの内側もしくは外側に金属製あるいは樹脂製の柔軟性のあるメッシュ状シートをパイプと同形状に成形したメッシュパイプを配置し、円形状に成形した事を特徴とする肥料収納容器。
【請求項８】
請求項６に於いて、螺旋状に成形した外径の異なる２種類のパイプを作成し、外径の小さなパイプを外径の大きなパイプの内部に挿入し、パイプ間にメッシュパイプを挿入し、一体化したことを特徴とする肥料収納容器。
【発明の詳細な説明】
【技術分野】
【０００１】本発明は、樹木、観葉植物、鉢植え観葉植物など（以下、樹木と略称する）に緩く巻き付け、効率良く施肥できる接続、取り外し可能な肥料収納容器（以下、肥料容器と略称する）に関する。
【背景技術】
【０００２】樹木への施肥には、色々な方法があるが、手を汚さずに簡単に出来る方法は、窒素、リン酸、カリを植物毎に配合された固形肥料を使うのが便利である。この固形肥料の使用方法は、説明書によると、鉢のサイズに合った量を鉢の表面に蒔き、樹木に触れない様にすることが推奨されている。【０００３】しかしベランダで鉢が倒れたり、室内で何かの拍子に倒れる事があると、固形肥料が床面に飛び散り、掃除をするのが大変であったり、再度施肥しなくてはならない。また肥料を固形化するための樹脂分が施肥後も、鉢の表面に形骸のまま残るので、見た目が悪いし、除去するのも大変である。
【先行技術文献】
【０００４】特許文献１は、植物を発芽育成させるために、当該植物の近傍に中空な長尺な棒状体の胴部に穴を成形し、この中空な胴部内に肥料や土壌改良剤を入れ、穴を介して栄養素を土中に溶出させるための肥料供給装置を提案している。
【０００５】特許文献２は、特許文献１と同様に、周面に多数の孔を有する紙製もしくプラスチック製の円筒体内に塊状の肥料を充填し当該筒体の両面開口部を蓋で閉じた肥料用器で法面保護草に施肥するための収納容器で、土壌中に埋め込んで使用することを提案している。
【０００６】特許文献３の肥料容器は、肥料全体を包む球形の形状と土中に固定する軸が一体化され、球形の下部にリング状の穴が空いており、７本の補強材があるのでリング状の隙間が７か所空いている。また上部には１２枚の柔軟性弁が付いている。上部の弁の間から水遣りし、下部の隙間から溶けた肥料が出る構造になっている。
【０００７】特許文献１，２は、孔を空けた真っ直ぐな円筒容器に塊状の肥料を入れ、当該植物の周囲の土壌中に埋め込み土中の水分で肥料を溶解させる肥料容器に関するものである。しかし、これらの肥料容器は、当該植物の周辺の１ヵ所に埋め込むため、施肥にムラが生じ易い。更に土壌内の水分を利用するので養分の溶出までに時間が掛かり、効率的な施肥は難しい。
【０００８】特許文献３は、容器の支持部を土中に差し込んで固定しているが、記載されている図面を複写して試作すると、上部の開口部が大きく開いており、鉢が倒れると肥料が外部に飛散する。上部の開口部からは水遣りは出来るが、球形状の側面隙間からの水の浸透は少ない。仮に飛散防止のために蓋を取り付けた場合は、内部への施水が難しい。
【特許文献】
【０００９】
【特許文献１】公開実用新案公報  昭５９−１２３１４２号
【特許文献２】公開実用新案公報  昭６１−１４２５１９号
【特許文献３】実用新案登録第３１２２２１１号
【発明の概要】
【発明が解決しようとする課題】
【００１０】樹木への施肥には、色々な方法があるが、手を汚さずにできる方法は、窒素、リン酸、カリを植物毎に配合された固形肥料を使うのが便利である。この固形肥料の使用方法は、説明書によると、鉢のサイズに合った量を樹木に触れない様に鉢の土壌表面に蒔くことが推奨されている。【００１１】しかし、ベランダで鉢が倒れたり、室内で何かの拍子に倒れる事があると、固形肥料が床面に飛び散り、掃除をするのが大変である。また肥料を固形化するための樹脂分が施肥後も、鉢の表面に形骸のまま残るので見た目が悪く、風で飛散したり、鉢から除去するのが大変である。【００１２】また肥料を円筒形状の容器に入れて土中に埋没させて施肥する提案もされているが、土中の水分により肥料を溶かすには時間が掛かる。
【課題を解決するための手段】
【００１３】そこで本発明は、図１に示す様に樹木に触れない様に肥料を充填した肥料容器を緩く巻き付け水遣りする時にパイプの開口部から水が内部に入り、内部の肥料を溶かし、樹木に均一に施肥する事が出来る肥料容器に関する。仮に植木鉢が転倒しても肥料容器は、木に巻かれているので肥料が飛散することもない。【００１４】この肥料容器は、柔軟性のあるパイプ形状をしており、その表面には、多数の開口部が設けられている。このパイプの構成は、開口部が大きいと水遣り時に容易に水が内部に浸透して肥料を溶かすので都合が良いが、内部の肥料のサイズ（市販品では、約３ｍｍ〜１０ｍｍ）が小さいと、開口部からこぼれ落ちるので開口部の大きさは肥料よりも小さいことが必要になる。【００１５】しかし多数の穴が空いたメッシュ状のシートを使用して連続した空間を有するパイプ形状を作成し、パイプの内部か外部に被覆するとパイプ開口部が大きくても肥料が落下することのない肥料容器になる。即ち、メッシュ状成形体は、肥料の落下を防止し、パイプは、メッシュ状成形体を保持する機能を有する。【００１６】本発明で使用するパイプ素材は、連続したポリエチレン、ポリプロピレン、塩化ビニール、合成ゴム製などが良いが耐薬品性の高いフッ素樹脂（ＰＦＡ）、ポリ四フッ化エチレン（ＰＴＦＥ）製の液体漏れのないパイプでも良い。パイプが切断されない程度の切り込みが入っている螺旋形状のパイプでも良い。更に漏れの無いパイプに機械的に多数の開口部を設けたり、櫛形状の形状をパイプが切断されない程度に切削加工したり、プラスチックや金属の線を螺旋形状に隙間を空けて巻いてパイプ状形状にした物も本発明では、パイプとする。【００１７】パイプの外側の表面は、平滑でも良いが、コルゲート状の蛇腹形状でも良い。パイプの断面形状は、作成が容易な円形が良いが、３角形、四角形、五角形、六角形、等の多角形でも良い。パイプは、無色、透明でも良いが各種の色彩に染めても良い。【００１８】パイプには各種形状の開口部を機械的に開けても良いが、樹脂シートを図２に相当する規則的な形状を切削し、加熱しながら長いパイプ状に曲げたパイプを使用しても良い。このパイプの形状は、スリットチューブとして公知であり、配線を束ねる目的で使用されている。パイプは、一方向にしか曲げられないが円形状に曲げると均一な開口部を形成し、開口部が外側を向く。【００１９】しかし、この程度の開口部では内部の肥料に水を浸透させるには不十分である。そこで図３の如く強度的に問題が無ければ更に大きな開口部を作成して効率良く内部に水が浸透出来る構造にしているので、従来のスリットチューブとは、構造、使用目的、効果で大きな違いがある。【００２０】このパイプは、一例として図３の形状を設け丸めてパイプ形状にしているので、樹木に巻き付けた時に図４の様になり、上面になる部分と土に接する部分の開口度が大きいので、水がパイプ内部に入り易く、排出し易い構造になる。また、水平方向はパイプ形状を保持する目的で切削の程度を減少している。【００２１】前述スリットチューブは、チューブの長手方向が重なり合っているだけなので、チューブに圧力を印加すると径が変化する問題点もあり加工費も高く付く。【００２２】そこで安価で確実な方法としては、曲げた時に潰れにくいプラスチック製のパイプに図５の様にパイプの強度に問題が無い程度に大きく切削加工すると大きな開口部を持つパイプになり、円形状に曲げると外側に大きな開口部が出来る。【００２３】パイプは、樹脂製もしくは錆びづらい金属の線を螺旋状に形成して使用しても良い。このチューブを使用すると、開口率が９０％以上と非常に大きくなり、内部への水の供給量が増えるので、肥料養分の供給量が増える。また安価である。【００２４】このパイプの使用例としてパイプの外径が数ミリメートル異なる２種類の螺旋状パイプを成形し、２種類のパイプ間にメッシュ状成形体を挟み込み一体化しても良い。柔らかい保形性が難しいメッシュパイプを使用する時は、安価で確実な肥料容器になる。【００２５】前述メッシュ状パイプは、樹脂製または金属製のメッシュ状シートをパイプ内径もしくは外径に合わせて成形し接着剤で接着したり、縫い合わせたり、熱溶着することでメッシュパイプを作成できるが、これらの方法に限定されるものではない。また使用するメッシュシートの穴の作成方法は、パンチング加工、機械的に織ったり、エッチングしたりメッシュ形状になるなら如何なる方法でも良い。メッシュの目合いは、穴が空いていれば使用できるが、使用する肥料サイズよりも小さければ特に問題はないので少なくとも約３ｍｍあれば水も通過できる。最終的には、肥料サイズで決定すれば良い。【００２６】パイプ内部にメッシュパイプを組み合わせた状況を図６に示す。パイプ外側にメッシュパイプを組み合わせた状況を図７に示す。パイプとメッシュパイプは独立しているので、パイプが曲がってもメッシュパイプは、そのままの状態を保つことが出来て内部の肥料を保持することが出来る。【００２７】もしも樹脂製メッシュパイプ内部に水が浸透しづらい場合は、親水性を付与できる酸処理（硫酸，クロム酸の濃厚水溶液に浸漬する）をするとメッシュパイプ表面は、親水性になる。またはメッシュパイプ表面をプラズマ処理しても良い。【００２８】メッシュの素材はプラスチックであれば、ポリエーテルケトン、テフロン（登録商標）、ポリフェニレンサルファイド、ポリプロピレン、ポリエステル、ナイロン、サラン、ポリエチレンなどが良いがこれに限定されるものではない。
また、金属であれば錆びづらいＳＵＳ３０４、ＳＵＳ３１６、チタンなどが良く、これらの組成に限定されるものではない。【００２９】メッシュパイプは、パイプの外側に被覆する際は問題がないが、内部に設置するには、柔らかいメッシュパイプの場合は、パイプ形状に保つのが難しい場合がある。その時には、メッシュパイプに剛性のあるプラスチック、金属等の線で補強しても良い。一方硬いメッシュパイプの場合は、円形状に曲げると、パイプが潰れて断面積が小さくなる問題点がある。【００３０】肥料をパイプ内部に直接投入する際には、連続したパイプの一端から内部に固形肥料を必要量入れて、パイプの両端を互いに接続して円形状にしても良い。接続には、取り外し可能な状況にするために、パイプの一端の径を一方の径よりも大きくして嵌め込む方法も良いが、同じ外径サイズにしておき、パイプフォルダー等で固定する方法も良いが、これらの方法に限定されるものではない。【００３１】更に簡単に肥料を入れるためには、パイプを図８の様な肥料投入構造体に接続すると良い。図９、図１０の様に肥料投入構造体はパイプ内部と連続した空間になる様に互いに空間が繋がり、肥料投入口（９）から肥料を投入すると、簡単にパイプ内部に肥料を移動することが出来る。図４は、パイプと肥料投入構造体を繋げた肥料容器の一例である。【００３２】更に、肥料投入構造体の反対側にもう一方のパイプ端部を固定する固定部（１１）が付いており、肥料投入構造体に端部を差し込み、自在に接続、取り外しできる構造にしている。差し込んで固定する以外に、パイプホルダー、フック、磁石、ネジ等で固定しても良い。この固定部位はパイプが円形状になる様に、パイプの長さによって取り付け位置を変更すれば良い。【００３３】肥料投入構造体の組成は、パイプと同じ、ポリエチレン、ポリプロピレン、塩化ビニール、合成ゴム、フッ素樹脂（ＰＦＡ）、ポリ四フッ化エチレン（ＰＴＦＥ）製である。熱溶着する場合には、パイプと同じ組成を使用することが望ましい。【００３４】肥料投入構造体の上部に、内ネジあるいは外ネジ（８）を作成しておき、ネジ部を介して柔軟性のある容器（図示せず）を取り付け、容器内部に貯めた水を強制的にパイプ内に送って内部の肥料に水を供給することも出来る。使用しない時は、ネジ付蓋（図示せず）を使用して虫の侵入を防ぐことも出来る。また、蓋の上部に施肥を開始した日付、肥料の配合等を記載できる板を付けても良い。【００３５】肥料投入構造体の下部に約１０ｍｍφＸ２０〜３０ｍｍの棒（図示せず）を付けても良い。この棒を鉢の表面に挿して肥料容器を固定することも出来る。
【発明の効果】
【００３６】本発明は、樹木に肥料を充填したパイプを樹木から離して巻き付け、水遣りする時にパイプの開口部から水が内部に入り肥料を溶かし、樹木に均一に施肥する事が出来、鉢が転倒しても肥料容器は、樹木に巻き付けているので肥料が飛び散ることがない。また肥料の投入、残渣の廃棄が簡単にすることが出来る。
【図面の簡単な説明】
【００３７】
【図１】肥料容器を樹木に巻き付けた断面図
【図２】斜線部を切削加工し中空になっている樹脂シート
【図３】図２の開口部面積を大きくした樹脂シート
【図４】図３のシートをパイプ状に成形し、肥料投入構造体を接合した肥料納容器
【図５】切削加工して大きな開口部を設けた一体構造パイプの一部図面
【図６】パイプの内部にメッシュパイプを配置したパイプの一部図面
【図７】パイプの外部にメッシュパイプを配置したパイプの一部図面
【図８】肥料投入構造体の斜視図
【図９】外ネジを切ってある肥料投入構造体の側面図
【図１０】図９の断面図
【発明を実施するための形態】
【００３８】以下、本発明の実施の形態について説明する。
【実施例１】
【００３９】外径２１．５ｍｍ、長さ５００ｍｍの市販ポリエチレンパイプに２ｍｍＷｘ１３ｍｍＬｘ１３ｍｍＨの切り込みを１５ｍｍピッチで切削して連続した櫛形状に削り取り、更に図５の様に開口部を大きく切削加工した。このパイプの内径に相当する目合い３ｍｍのナイロン製のメッシュで作成したメッシュパイプを挿入して肥料容器の骨格部分を作成した。更に図８に示す肥料投入機能を有するポリエチレン製肥料投入構造体６に空洞部が互いに繋がる様にパイプの一端を接続端子１０に熱溶着し、もう一方の端部をポリエチレン製肥料投入構造体６に熱溶着した固定部１１に接続し開口部面積が大きい円形状肥料容器を作成した。水遣り時以外には肥料投入口９に蓋を取り付けた。
【実施例２】
【００４０】５００ｍｍＬｘ７０ｍｍＷｘ２ｍｍｔのポリプロピレンシートに図３に相当する規則的な形状を１０ｍｍピッチで切削し、加熱しながら長手方向に連続空間を有する様に曲げたパイプを作成すると約２５ｍｍφの均一な長手方向に重なり部を持つパイプが完成する。実施例１と同様に内部にナイロン製のメッシュチューブを挿入した。肥料をパイプ内に投入口９より内部に投入し、樹木に巻き付けてパイプ端部同志を取り外し可能な樹脂製配管クランプで接合し円形のパイプとなった。開口部面積が大きいので容易に散水時にパイプ内部に水が入った。
【実施例３】
【００４１】２ｍｍφのポリエチレン線でピッチ４ｍｍで、外径が２５ｍｍφと２３ｍｍφになる様に加熱しながら螺旋状に全長５００ｍｍの２種類のパイプを成形した。外径２５ｍｍφのパイプの内側に２３ｍｍφのパイプ挿入しパイプ間に実施例１のナイロン製メッシュパイプを挟み込み固定した。この肥料容器の端子を実施例１の肥料投入構造体の接続端子１０に差し込み取り付け、投入口９を介して内部に固形肥料を投入し、樹木の周囲に緩く巻き付け、肥料投入構造に取り付けた固定部１１にもう一方の端子を差し込んで固定した。開口部が非常に大きいので容易に内部に水が入った。水遣り時以外には肥料投入口９に蓋を取り付けた。
【実施例４】
【００４２】実施例１に於いて、図８の様に肥料投入構造体６の上部に外ネジ８を切り、ネジ部を介して、肥料容器の内容積と略同量の水を保持できる柔軟性のある容器を取り付け、強制的に肥料容器の内部に水を供給した。簡単、確実に水が供給された。虫の侵入防止用の蓋の上部に３０ｍｍφのメモ板を接着して肥料の種類と日時を記載した。
【符号の説明】
【００４３】  １肥料容器、２固形肥料、３樹木、４鉢、５パイプ、
６肥料投入構造体、７メッシュパイプ、８外ネジ、９肥料投入口、
１０肥料投入構造体とパイプとの接続端子、
１１肥料投入構造体と接続、取り外し可能なパイプの固定端子、
【図１】
2020010675.tif 000003
【図２】
2020010675.tif 000004
【図３】
2020010675.tif 000005
【図４】
2020010675.tif 000006
【図５】
2020010675.tif 000007
【図６】
2020010675.tif 000008
【図７】
2020010675.tif 000009
【図８】
2020010675.tif 000010
【図９】
2020010675.tif 000011
【図１０】
2020010675.tif 000012